(57)【特許請求の範囲】
【請求項１】
複数枚の投票用紙を収容する収容部と、
投票用紙を、収容部から１枚ずつ取出して、搬送路を通して搬送して、用紙取出口から突出させる、用紙送出機構と、
用紙送出機構の作動をオンする操作キーと、
電源からの通電をオンオフする電源スイッチと、
を備え、通電状態で操作キーをオンする度に、用紙送出機構が１回作動して、１枚の投票用紙が用紙取出口から突出させるようになっている、投票用紙交付装置において、
電源スイッチのオフ作動を検知して電源からの通電を制御する、電源制御手段を、備えており、
電源制御手段は、
電源スイッチのオフ作動を検知するオフ検知手段と、
オフ作動が検知されると、電源からの通電を遮断可能な状態であるか否かを、判定する、判定手段と、
判定結果が「遮断可能な状態」である場合に、電源からの通電の遮断を実行する、遮断実行手段と、
判定結果が「遮断不可能な状態」である場合に、電源からの通電の遮断を停止する、遮断停止手段と、
を有しており、
判定手段が、
搬送路の途中に投票用紙が残留しているか否かを検知する、残留検知手段と、
検知結果が「残留していない」である場合に「遮断可能な状態」と判定する、可能判定手段と、
検知結果が「残留している」である場合に「遮断不可能な状態」と判定する、不可能判定手段と、
を有している、
ことを特徴とする投票用紙交付装置。
【請求項２】
電源制御手段が、判定結果が「遮断不可能な状態」である場合に、投票用紙が残留している旨を知らせる警報を発する警報手段を、更に有している、
請求項１記載の投票用紙交付装置。
【請求項３】
電源制御手段が、
残留している投票用紙が除去されたか否かを検知する、除去検知手段と、
検知結果が「除去された」である場合に、通電の遮断の停止を解除する、停止解除手段と、
を更に有している、
請求項１又は２に記載の投票用紙交付装置。
【請求項４】
残留検知手段が、搬送路の途中に設けられたセンサーによって、検知するようになっている、
請求項１〜３のいずれか一つに記載の投票用紙交付装置。
【請求項５】
外部の情報処理装置との間で相互に通信を行う、通信手段を、更に備えており、
判定手段が、
通信途中であるか否かを検知する、通信途中検知手段と、
検知結果が「通信途中でない」である場合に「遮断可能な状態」と判定する、可能判定手段と、
検知結果が「通信途中である」である場合に「遮断不可能な状態」と判定する、不可能判定手段と、
を有している、
請求項１記載の投票用紙交付装置。
【請求項６】
電源制御手段が、判定結果が「遮断不可能な状態」である場合に、通信途中である旨を知らせる警報を発する警報手段を、更に有している、
請求項５記載の投票用紙交付装置。
【請求項７】
電源制御手段が、
通信が維持されて完了したか否かを検知する、通信完了検知手段と、
検知結果が「完了した」である場合に、通電の遮断の停止を解除する、停止解除手段と、
を更に有している、
請求項５又は６に記載の投票用紙交付装置。
【発明の詳細な説明】
【技術分野】
【０００１】
本発明は、投票用紙を投票者に交付するための投票用紙交付装置に関するものである。
【背景技術】
【０００２】
投票用紙交付装置においては、通常、交付作業が終了すると、担当者が、電源スイッチをオフすることによって電源からの通電を遮断し、開閉蓋を開けて、収容部に残っている投票用紙を回収している。
【先行技術文献】
【特許文献】
【０００３】
【特許文献１】特開昭６２−２２６２１３号公報
【特許文献２】特開平６−２４２８５７号公報
【特許文献３】特開平１０−２９３７３１号公報
【発明の概要】
【発明が解決しようとする課題】
【０００４】
しかしながら、交付作業が終了した場合に、交付装置内の搬送路途中に投票用紙がジャムした状態で残留していることがある。そのような場合に、電源からの通電を遮断してしまうと、ジャムしている投票用紙に気付かず、その投票用紙が回収されないため、投票用紙の総数が合わないこととなり、不都合が生じる。
【０００５】
また、投票用紙交付装置は、外部の情報処理装置との間で相互に通信を行ってデータをやり取りすることがある。例えば、交付後には、交付結果データを外部の情報処理装置に送信する。その送信途中に、電源からの通電を遮断してしまうと、送信が不完全となり、誤った交付結果データが情報処理装置に記憶されることとなり、不都合が生じる。
【０００６】
本発明は、上述したような不都合が生じるのを防止できる、投票用紙交付装置を、提供することを目的としている。
【課題を解決するための手段】
【０００７】
本発明は、複数枚の投票用紙を収容する収容部と、投票用紙を、収容部から１枚ずつ取出して、搬送路を通して搬送して、用紙取出口から突出させる、用紙送出機構と、用紙送出機構の作動をオンする操作キーと、電源からの通電をオンオフする電源スイッチと、を備え、通電状態で操作キーをオンする度に、用紙送出機構が１回作動して、１枚の投票用紙が用紙取出口から突出させるようになっている、投票用紙交付装置において、電源スイッチのオフ作動を検知して電源からの通電を制御する、電源制御手段を、備えており、電源制御手段は、電源スイッチのオフ作動を検知するオフ検知手段と、オフ作動が検知されると、電源からの通電を遮断可能な状態であるか否かを、判定する、判定手段と、判定結果が「遮断可能な状態」である場合に、電源からの通電の遮断を実行する、遮断実行手段と、判定結果が「遮断不可能な状態」である場合に、電源からの通電の遮断を停止する、遮断停止手段と、を有しており、判定手段が、搬送路の途中に投票用紙が残留しているか否かを検知する、残留検知手段と、検知結果が「残留していない」である場合に「遮断可能な状態」と判定する、可能判定手段と、検知結果が「残留している」である場合に「遮断不可能な状態」と判定する、不可能判定手段と、を有している、ことを特徴としている。
【０００８】
なお、本発明は、次の構成を採用するのが好ましい。
【０００９】
（ｂ）電源制御手段が、判定結果が「遮断不可能な状態」である場合に、投票用紙が残留している旨を知らせる警報を発する警報手段を、更に有している。
（ｃ）本発明又は上記構成（ｂ）において、電源制御手段が、残留している投票用紙が除去されたか否かを検知する、除去検知手段と、検知結果が「除去された」である場合に、通電の遮断の停止を解除する、停止解除手段と、を更に有している。
（ｄ）本発明、上記構成（ｂ）及び（ｃ）のいずれか一つにおいて、残留検知手段が、搬送路の途中に設けられたセンサーによって、検知するようになっている。
（ｅ）外部の情報処理装置との間で相互に通信を行う、通信手段を、更に備えており、判定手段が、通信途中であるか否かを検知する、通信途中検知手段と、検知結果が「通信途中でない」である場合に「遮断可能な状態」と判定する、可能判定手段と、検知結果が「通信途中である」である場合に「遮断不可能な状態」と判定する、不可能判定手段と、を有している。
（ｆ）上記構成（ｅ）において、電源制御手段が、判定結果が「遮断不可能な状態」である場合に、通信途中である旨を知らせる警報を発する警報手段を、更に有している。
（ｇ）上記構成（ｅ）又は（ｆ）において、電源制御手段が、通信が維持されて完了したか否かを検知する、通信完了検知手段と、検知結果が「完了した」である場合に、通電の遮断の停止を解除する、停止解除手段と、を更に有している。
【発明の効果】
【００１０】
本発明によれば、担当者が電源スイッチをオフしても、「遮断不可能な状態」である場合には、電源からの通電が遮断されないので、残留投票用紙を回収し忘れたり外部の情報処理装置への通信データが不完全になったりするのを、防止できる。
【図面の簡単な説明】
【００１１】
【図１】本発明の投票用紙交付装置の外観斜視図である。
【図２】図１のII−II断面図である。
【図３】開閉蓋を開けた状態の装置本体の外観斜視図である。
【図４】第１実施形態の制御部のブロック図である。
【図５】第１実施形態の電源制御手段の作動のフローチャートである。
【図６】第２実施形態の制御部のブロック図である。
【図７】第２実施形態の電源制御手段の作動のフローチャートである。
【発明を実施するための形態】
【００１２】
［第１実施形態］
図１は、本発明の投票用紙交付装置の外観斜視図である。図２は、図１のII−II断面図である。この交付装置１０は、装置本体１とコントローラ９とからなっている。
【００１３】
装置本体１は、略直方体形状の筐体であり、開閉蓋１１１を有している。図３は、開閉蓋１１１を開けた状態の装置本体１の外観斜視図である。開閉蓋１１１は、装置本体１の上壁１１の後部と後壁１５の上部とが一体となって構成されている。開閉蓋１１１は、前縁部１１２を支点として、上下に回動することにより、開閉するようになっている。
【００１４】
装置本体１は、内部に、複数枚の投票用紙を収容する収容部２と、投票用紙を、収容部２から１枚ずつ取出して、搬送路３１を通して搬送して、用紙取出口３２から突出させる、用紙送出機構３と、を有している。開閉蓋１１１は、収容部２を覆っている。
【００１５】
装置本体１は、後壁１５の片隅に、電源（図示せず）からの通電をオンオフする電源スイッチ１０１と、電源へのコネクタ１０２と、を有している。更に、装置本体１は、装置全体の作動を制御する制御部１１０（図４）を有している。図４は、制御部１１０のブロック図である。制御部１１０は、ＣＰＵ、ＲＯＭ、ＲＡＭ等により、実現されている。
【００１６】
コントローラ９は、コード９１を介して、装置本体１の制御部１１０に接続されており、制御部１１０に制御信号を送信するようになっている。コントローラ９は、操作キー９２、９３及び表示パネル９４等を有している。
【００１７】
収容部２は、複数枚の投票用紙を収容する空間として構成されており、立壁２１と底壁２２と両側壁２３とで囲まれている。立壁２１は、上部が前になるように少し傾斜しており、収容部２と用紙送出機構３とを隔てている。底壁２２は、用紙送出機構３に向けて少し低くなるように傾斜している。投票用紙Ｐは、図２に示されるように、立壁２１に沿うように立てた状態で、且つ、立壁２１側から重ねた状態で、収容部２に収容される。底壁２２には、収容した投票用紙Ｐを立壁２１に向けて押し付ける押さえ部材２５が設けられている。押さえ部材２５は、板体であり、前後方向（矢印Ｙ方向）に移動可能に設けられており、スプリング２６によって立壁２１側へ常時付勢されている。
【００１８】
装置本体１は、側壁１３の内面に、収容部２内を照らすための照明具４２を、有している。照明具４２としては、例えば白色ＬＥＤ又は白色系電球が、好ましく用いられる。
【００１９】
用紙送出機構３は、操作キー９２又は９３を１回オンすると、次のように１回作動するようになっている。すなわち、図２に示されるように、まず、取出ローラ３３１及び捌き部材３３２によって、最も前に位置している投票用紙Ｐが収容部２から取り出され、搬送路３１へ送り出される。このとき、偏心ローラ３３３が、立壁２１から収容部２内へ周期的に突出するように回転して、重なっている投票用紙Ｐを揺動させるので、投票用紙Ｐ同士の間に隙間が生じ、１枚の投票用紙Ｐが取り出しやすくなる。搬送路３１に送り出された投票用紙Ｐは、搬送ローラ３４１、３４２、３４３によって、用紙取出口３２まで搬送される。投票用紙Ｐは、抜き取り検出部材３５１を回動させながら搬送されて、用紙取出口３２から突出し、回動から復帰した抜き取り検出部材３５１によって、下部が押さえられ、これによって、一部が用紙取出口３２から突出した状態で止まる。なお、抜き取り検出部材３５１は、スプリング（図示せず）によって復帰方向に常時付勢されている。そして、次の投票用紙Ｐの先端が１対のセンサー３６１によって検知されると、全てのローラの作動が停止する。用紙取出口３２から突出した投票用紙Ｐが、投票者によって抜き取られると、抜き取り検出部材３５１の回動がセンサー３６２によって検知され、装置本体１の前部に内蔵されたスピーカー４１から選挙の種類等を告げるアナウンスが流れる。投票用紙Ｐの重なりがセンサー３６１によって検知されると、排除ガイド部材３５２が、搬送路３１内に突出するように回動し、搬送されて来る投票用紙Ｐを搬送路３１から回収部３７へ逃がす。
【００２０】
そして、装置本体１の制御部１１０は、電源スイッチ１０１のオフ作動を検知して電源からの通電を制御する、電源制御手段１２０を、備えている。
【００２１】
電源制御手段１２０は、電源スイッチ１０１のオフ作動を検知するオフ検知手段１２１と、オフ作動が検知されると、電源からの通電を遮断可能な状態であるか否かを判定する、判定手段１２２と、判定結果が「遮断可能な状態」である場合に、電源からの通電の遮断を実行する、遮断実行手段１２３と、判定結果が「遮断不可能な状態」である場合に、電源からの通電の遮断を停止する、遮断停止手段１２４と、を有している。
【００２２】
判定手段１２２は、搬送路３１の途中に投票用紙が残留しているか否かを検知する、残留検知手段１２２１と、検知結果が「残留していない」である場合に「遮断可能な状態」と判定する、可能判定手段１２２２と、検知結果が「残留している」である場合に「遮断不可能な状態」と判定する、不可能判定手段１２２３と、を有している。残留検知手段１２２１は、搬送路３１の途中に、投票用紙の長さ寸法より短い間隔を置いて配置されたセンサー３６１、３６２、３６３、３６４によって、投票用紙の有無を検知するようになっている。センサー３６１、３６２、３６３、３６４によって検知される投票用紙は、搬送路３１においてジャム状態にあり、搬送路３１内に残留している。検知結果は、「無」の場合が「残留していない」となり、「有」の場合が「残留している」となる。
【００２３】
電源制御手段１２０は、判定結果が「遮断不可能な状態」である場合に、投票用紙が残留している旨を知らせる警報を発する警報手段１２５を、好ましくは有している。警報手段１２５は、スピーカー４１から警報を発するようになっている。
【００２４】
電源制御手段１２０は、残留している投票用紙が除去されたか否かを検知する、除去検知手段１２６と、検知結果が「除去された」である場合に、通電の遮断の停止を解除する、停止解除手段１２７と、を好ましくは有している。除去検知手段１２６は、上述したセンサー３６３、３６４よって、投票用紙の有無を検知するようになっている。検知結果は、「無」の場合が「除去された」となり、「有」の場合が「除去されていない」となる。
【００２５】
上記構成の交付装置１０は、次のように作動する。
【００２６】
まず、担当者が、次のようにして、交付装置１０に投票用紙をセットする。すなわち、まず、開閉蓋１１１を開け、押さえ部材２５を後方へ移動させる。次に、投票用紙を、立てた状態で且つ立壁２１に沿わせて、底壁２２上に載置し、押さえ部材２５によって前方へ押し付ける。次に、開閉蓋１１１を閉じる。
【００２７】
次に、操作者は、電源スイッチ１０１をオンし、そして、投票者が一人来ると、操作キー９２又は９３を１回オンする。このとき、投票者が男性の場合には男性用の操作キー９２をオンし、投票者が女性の場合には女性用の操作キー９３をオンする。これにより、投票者の男女別の数が、カウントされて、表示パネル９４に表示される。
【００２８】
操作キー９２又は９３が１回オンされると、用紙送出機構３が１回作動して、投票用紙が、収容部２から１枚取出され、搬送路３１を通して搬送されて、用紙取出口３２から突出する。用紙取出口３２から突出した投票用紙は、投票者によって抜き出され、投票に使用される。操作キー９２又は９３は、投票者が来る度に、１回オンされ、その度に、用紙送出機構３は、１回作動する。
【００２９】
以上のようにして、投票用紙の交付作業を行う。そして、交付作業が終了すると、担当者は、電源スイッチ１０１をオフし、開閉蓋１１１を開けて、収容部２に残っている投票用紙を回収する。このとき、センサー３６１の位置まで搬送路３１に入り込んでいる投票用紙も、収容部２に一部が露出しているので、引っ張り出して、回収する。なお、担当者と操作者とは、同一人でも別人でもよい。
【００３０】
ところで、上記構成の交付装置１０においては、担当者が電源スイッチ１０１をオフした際に、電源制御手段１２０が次のように作動する。図５は、そのフローチャートである。
【００３１】
まず、オフ検知手段１２１が、電源スイッチ１０１のオフ作動を検知する（ステップ（Ｓ）５１）。
【００３２】
次に、電源スイッチ１０１のオフ作動が検知されると、判定手段１２２が、電源からの通電を遮断可能な状態であるか否かを判定する。判定手段１２２は、次のように作動する。まず、残留検知手段１２２１が、センサー３６３、３６４によって、搬送路３１の途中に投票用紙が残留しているか否かを検知する（Ｓ５２）。そして、検知結果に応じて、可能判定手段１２２２又は不可能判定手段１２２３が作動する。可能判定手段１２２２は、検知結果が「残留していない」である場合に「遮断可能な状態」と判定する（Ｓ５３）。不可能判定手段１２２３は、検知結果が「残留している」である場合に「遮断不可能な状態」と判定する（Ｓ５４）。これにより、判定手段１２２によって、電源からの通電を遮断可能な状態であるか否かが判定される。
【００３３】
そして、「遮断可能な状態」と判定された場合には、遮断実行手段１２３が、通電の遮断を実行する（Ｓ５５）。これにより、電源スイッチ１０１のオフ作動は、完了する。一方、「遮断不可能な状態」と判定された場合には、遮断停止手段１２４が、通電の遮断を停止する（Ｓ５６）。これにより、電源スイッチ１０１のオフ作動は、未完のままとなる。
【００３４】
更に、電源制御手段１２０は、「遮断不可能な状態」と判定された場合には、次のように作動する。
【００３５】
（１）警報手段１２５が、警報を発する（Ｓ５７）。警報は、スピーカー４１から発せられる。これにより、担当者は、残留投票用紙の存在を、音によって認識できるので、残留投票用紙の見逃しを防止できる。警報は、残留投票用紙がある旨を伝える音声、例えば「残留投票用紙があります」でもよい。
【００３６】
（２）除去検知手段１２６及び停止解除手段１２７が、作動する。担当者は、「遮断不可能な状態」を解消するために、残留している投票用紙を除去するように作業するが（Ｓ５８）、除去検知手段１２６は、残留している投票用紙が除去されたか否かを検知する（Ｓ５９）。そして、検知結果が「除去された」である場合には、停止解除手段１２７が、通電の遮断の停止を解除する（Ｓ６０）。これにより、遮断停止手段１２４によって未完のままとなっていた電源スイッチ１０１のオフ作動が、完了する。したがって、除去検知手段１２６及び停止解除手段１２７によれば、投票用紙が残留している限り、通電は遮断されないので、残留投票用紙の見逃しを防止できる。
【００３７】
以上のように、上記構成の交付装置１０によれば、担当者が電源スイッチ１０１をオフしても、残留投票用紙が有る場合には、電源からの通電は遮断されないので、残留投票用紙を回収し忘れるのを、防止できる。
【００３８】
［第２実施形態］
本実施形態の交付装置１０は、第１実施形態に対して、次の点が異なっており、その他の構成は同じである。図６は、本実施形態の制御部２１０のブロック図である。
【００３９】
（１）外部の情報処理装置との間で相互に通信を行う、通信手段２３０を、更に備えている。通信手段２３０は、有線又は無線で、情報処理装置に接続されている。通信手段２３０は、主として、投票用紙の交付後に、交付結果データ、例えば、投票総数、男女別投票数、時間帯別投票数、投票率などを、外部の情報処理装置に送信する。情報処理装置は、例えばパーソナルコンピュータ８である。
【００４０】
（２）電源制御手段２２０が、次のような構成を有している。
すなわち、電源制御手段２２０は、電源スイッチ１０１のオフ作動を検知するオフ検知手段２２１と、オフ作動が検知されると、電源からの通電を遮断可能な状態であるか否かを判定する、判定手段２２２と、判定結果が「遮断可能な状態」である場合に、電源からの通電の遮断を実行する、遮断実行手段２２３と、判定結果が「遮断不可能な状態」である場合に、電源からの通電の遮断を停止する、遮断停止手段２２４と、を有している。
【００４１】
判定手段２２２は、外部の情報処理装置との間で通信途中であるか否かを検知する、通信途中検知手段２２２１と、検知結果が「通信途中でない」である場合に「遮断可能な状態」と判定する、可能判定手段２２２２と、検知結果が「通信途中である」である場合に「遮断不可能な状態」と判定する、不可能判定手段２２２３と、を有している。通信途中検知手段２２２１は、通信手段２３０の作動状態に基づいて検知するようになっている。
【００４２】
電源制御手段２２０は、判定結果が「遮断不可能な状態」である場合に、通信途中である旨を知らせる警報を発する警報手段２２５を、好ましくは有している。警報手段２２５は、スピーカー４１から警報を発するようになっている。
【００４３】
電源制御手段２２０は、通信が維持されて完了したか否かを検知する、通信完了検知手段２２６と、検知結果が「完了した」である場合に、通電の遮断の停止を解除する、停止解除手段２２７と、を好ましくは有している。通信完了検知手段２２６は、通信手段２３０の作動状態に基づいて検知するようになっている。
【００４４】
本実施形態の交付装置１０において、投票用紙が用紙取出口３２から突出して投票に使用されるまでの作動は、第１実施形態の場合と同じである。
【００４５】
そして、本実施形態の交付装置１０においては、担当者が電源スイッチ１０１をオフした際に、電源制御手段２２０が次のように作動する。図７は、そのフローチャートである。
【００４６】
まず、オフ検知手段２２１が、電源スイッチ１０１のオフ作動を検知する（ステップ（Ｓ）７１）。
【００４７】
次に、電源スイッチ１０１のオフ作動が検知されると、判定手段２２２が、電源からの通電を遮断可能な状態であるか否かを判定する。判定手段２２２は、次のように作動する。まず、通信途中検知手段２２２１が、通信途中であるか否かを検知する（Ｓ７２）。そして、検知結果に応じて、可能判定手段２２２２又は不可能判定手段２２２３が作動する。可能判定手段２２２２は、検知結果が「通信途中でない」である場合に「遮断可能な状態」と判定する（Ｓ７３）。不可能判定手段２２２３は、検知結果が「通信途中である」である場合に「遮断不可能な状態」と判定する（Ｓ７４）。これにより、判定手段２２２によって、電源からの通電を遮断可能な状態であるか否かが判定される。
【００４８】
そして、「遮断可能な状態」と判定された場合には、遮断実行手段２２３が、通電の遮断を実行する（Ｓ７５）。これにより、電源スイッチ１０１のオフ作動は、完了する。一方、「遮断不可能な状態」と判定された場合には、遮断停止手段２２４が、通電の遮断を停止する（Ｓ７６）。これにより、電源スイッチ１０１のオフ作動は、未完のままとなる。
【００４９】
更に、電源制御手段２２０は、「遮断不可能な状態」と判定された場合には、次のように作動する。
【００５０】
（１）警報手段２２５が、警報を発する（Ｓ７７）。警報は、スピーカー４１から発せられる。これにより、担当者は、通信途中であることを、音によって認識できるので、通信途中であることの見逃しを防止できる。警報は、通信途中である旨を伝える音声、例えば「通信途中です」でもよい。
【００５１】
（２）通信完了検知手段２２６及び停止解除手段２２７が、作動する。担当者は、「遮断不可能な状態」を解消するために、通信を維持して完了するように作業するが（Ｓ７８）、通信完了検知手段２２６は、通信が完了したか否かを検知する（Ｓ７９）。そして、検知結果が「完了した」である場合には、停止解除手段２２７が、通電の遮断の停止を解除する（Ｓ８０）。これにより、遮断停止手段２２４によって未完のままとなっていた電源スイッチ１０１のオフ作動が、完了する。したがって、通信完了検知手段２２６及び停止解除手段２２７によれば、通信途中である限り、通電は遮断されないので、通信途中であることの見逃しを防止できる。
【００５２】
以上のように、上記構成の交付装置１０によれば、担当者が電源スイッチ１０１をオフしても、通信途中である場合には、電源からの通電は遮断されないので、通信が不完全になるのを、防止できる。
【００５３】
［変形例］
（１）第１実施形態において、警報手段１２５は、スピーカー４１から警報を発すると共に、又は、警報を発することに代えて、投票用紙が残留している旨を知らせる警報メッセージ例えば「残留用紙があります」を、コントローラ９の表示パネル９４に所定時間表示してもよい。
【００５４】
（２）第２実施形態において、警報手段１２５は、スピーカー４１から警報を発すると共に、又は、警報を発することに代えて、通信途中である旨を知らせる警報メッセージ例えば「通信途中です」を、コントローラ９の表示パネル９４に所定時間表示してもよい。
【００５５】
（３）第１実施形態において、電源制御手段１２０は、注意メッセージ手段を更に有してもよい。注意メッセージ手段は、除去検知手段１２６の検知結果が「除去された」である場合に、注意メッセージ例えば「電源遮断中です」を、スピーカー４１から音声として発したり、コントローラ９の表示パネル９４に所定時間表示したりする。残留投票用紙を除去した後に直ぐに電源が遮断されると、担当者が異常状態ではないかと誤認する恐れがあるが、注意メッセージ手段によれば、その恐れを解消できる。更に、注意メッセージ手段は、除去検知手段１２６の検知結果が「除去されていない」である場合に、注意メッセージ例えば「除去して下さい」を、スピーカー４１から音声として発したり、コントローラ９の表示パネル９４に所定時間表示したりしてもよい。
【００５６】
（４）第２実施形態においては、電源制御手段２２０は、注意メッセージ手段を更に有してもよい。注意メッセージ手段は、通信完了検知手段２２６の検知結果が「完了した」である場合に、注意メッセージ例えば「電源遮断中です」を、スピーカー４１から音声として発したり、コントローラ９の表示パネル９４に所定時間表示したりする。通信が完了した後に直ぐに電源が遮断されると、担当者が異常状態ではないかと誤認する恐れがあるが、注意メッセージ手段によれば、その恐れを解消できる。更に、注意メッセージ手段は、通信完了検知手段２２６の検知結果が「完了していない」である場合に、注意メッセージ例えば「完了して下さい」を、スピーカー４１から音声として発したり、コントローラ９の表示パネル９４に所定時間表示したりしてもよい。
【００５７】
（５）第１実施形態において、電源制御手段１２０は、確認メッセージ手段及び指示受付手段を更に有してもよい。確認メッセージ手段は、除去検知手段１２６の検知結果が「除去された」である場合に、確認メッセージ例えば「電源を遮断してもよいですか」を、スピーカー４１から音声として発したり、コントローラ９の表示パネル９４に所定時間表示したりする。指示受付手段は、担当者が「遮断してもよい」旨をコントローラ９の該当キーから指示した場合に、その指示を受け付けて、電源を遮断する。
【００５８】
（６）第２実施形態において、電源制御手段２２０は、確認メッセージ手段及び指示受付手段を更に有してもよい。確認メッセージ手段は、通信完了検知手段２２６の検知結果が「完了した」である場合に、確認メッセージ例えば「電源を遮断してもよいですか」を、スピーカー４１から音声として発したり、コントローラ９の表示パネル９４に所定時間表示したりする。指示受付手段は、担当者が「遮断してもよい」旨をコントローラ９の該当キーから指示した場合に、その指示を受け付けて、電源を遮断する。
【産業上の利用可能性】
【００５９】
本発明の投票用紙交付装置は、残留投票用紙を回収し忘れたり外部の情報処理装置への通信データが不完全になったりするのを、防止できる。
【符号の説明】
【００６０】
２  収容部  ３  用紙送出機構  ９２、９３  操作キー  １０１  電源スイッチ  １０  投票用紙交付装置  １２０、２２０  電源制御手段  １２１、２２１  オフ検知手段  １２２、２２２  判定手段  １２２１  残留検知手段  ２２２１  通信途中検知手段  １２２２、２２２２  可能判定手段  １２２３、２２２３  不可能判定手段  １２３、２２３  遮断実行手段  １２４、２２４遮断停止手段  １２５、２２５  警報手段  １２６  除去検知手段  ２２６  通信完了検知手段  １２７、２２７  停止解除手段
【図１】
0005649468.tif 000002
【図２】
0005649468.tif 000003
【図３】
0005649468.tif 000004
【図４】
0005649468.tif 000005
【図５】
0005649468.tif 000006
【図６】
0005649468.tif 000007
【図７】
0005649468.tif 000008